(57)【要約】【課題】３次元表示用の画像データと２次元表示用の画像データとの判別を明確にする。【解決手段】制御部１０１は、各視点画像の統合方法を指定する。画像統合部１０２は、各視点画像を適切な位置に配置して統合画像を作成する。３Ｄ画像制御情報作成部１０３は、各視点画像の配置方法及び３次元画像の各種特性をフォーマット化して３Ｄ画像制御情報を作成する。符号化部１０４は、統合画像データを符号化する。多重化部１０５は、符号化データと３Ｄ画像制御情報を多重化して出力する。ファイル名称決定部１０６は、多重化データをファイルとして記録する際のファイルの名称を決定する。格納ディレクトリ決定部１０７は、記録するファイルを格納するディレクトリを決定する。ファイル作成部１０８は、決定された格納ディレクトリ及びファイル名でファイルを記録する。【選択図】        図１
2004349732.tif 000002
【特許請求の範囲】
【請求項１】
複数の視点の各々に対応した複数の画像から、所定のファイルフォーマットの画像ファイルを作成する画像ファイル作成装置において、
前記複数の視点の画像を３次元表示するための３次元画像制御情報を作成する情報作成手段と、
前記複数の視点の画像と前記３次元画像制御情報とを含んだ画像ファイルを作成するファイル作成手段とを備え、
前記画像ファイルのファイル名称及び／または前記画像ファイルを格納するディレクトリによって、前記画像ファイルが複数の視点の画像を含むファイルであるか否かを判別可能とすることを特徴とする画像ファイル作成装置。
【請求項２】
請求項１に記載の画像ファイル作成装置において、
前記画像ファイルを格納するディレクトリは、１視点の画像からなる画像ファイルを格納するディレクトリと別のディレクトリとすることで、前記画像ファイルが複数の視点の画像を含むファイルであるか否かを判別可能とすることを特徴とする画像ファイル作成装置。
【請求項３】
請求項１に記載の画像ファイル作成装置において、
前記ファイル名称は、複数の視点の画像を含むファイルを示すファイル名とすることで、前記画像ファイルが複数の視点の画像を含むファイルであるか否かを判別可能とすることを特徴とする画像ファイル作成装置。
【請求項４】
請求項１に記載の画像ファイル作成装置において、
前記ファイル名称は、１視点の画像からなるファイルの命名規則と異なるファイル名とすることで、前記画像ファイルが複数の視点の画像を含むファイルであるか否かを判別可能とすることを特徴とする画像ファイル作成装置。
【請求項５】
請求項１に記載の画像ファイル作成装置において、
前記ファイル名称は、１視点の画像からなるファイルの拡張子と異なる拡張子とすることで、前記画像ファイルが複数の視点の画像を含むファイルであるか否かを判別可能とすることを特徴とする画像ファイル作成装置。
【請求項６】
所定のファイルフォーマットの画像ファイルから、複数の視点の各々に対応した複数の画像を再生する画像ファイル再生装置において、
前記画像ファイルから前記複数の視点の画像を３次元表示するための３次元画像制御情報を解析する解析手段とを備え、
前記解析手段の結果に応じて前記複数の視点の画像を再生することを特徴とする画像ファイル再生装置。
【請求項７】
所定のファイルフォーマットの画像ファイルから、複数の視点の各々に対応した複数の画像を再生する画像ファイル再生装置において、
前記画像ファイルのファイル名称及び／または前記画像ファイルが格納されているディレクトリから前記画像ファイルが複数の視点の画像を含むファイルであるか否かを判別する判別手段と、
前記画像ファイルから前記複数の視点の画像を３次元表示するための３次元画像制御情報を解析する解析手段とを備え、
前記判別手段及び／または前記解析手段の結果に応じて前記複数の視点の画像を再生することを特徴とする画像ファイル再生装置。
【発明の詳細な説明】
【０００１】
【発明の属する技術分野】
本発明は、３次元表示するための画像ファイルを作成する際に、３次元表示用の画像ファイルと２次元表示用の画像ファイルとの判別を明確にする画像ファイル作成装置、およびそのファイルを再生する画像ファイル再生装置に関するものである。
【０００２】
【従来の技術】
従来、３次元画像を表示する様々な方法が提案されてきた。その１つとして「レンチキュラ方式」がある。このレンチキュラ方式で用いるための記録データ形式の一例が、後述する特許文献１において開示されている。
【０００３】
図１３は、このようなレンチキュラ方式の記録データ形式の一例を示す概念図である。図１３（ａ）に示す左眼画像３０１と図１３（ｂ）に示す右眼画像３０２から、それぞれを水平方向に１／２に間引きして図１３（ｃ）に示す１枚の画像３０３を作って記録する。このように複数の画像を合成して１枚の画像にしたものを統合画像と呼ぶ。再生時にはこの統合画像３０３を各々のディスプレイで表示する形式に並べ替えて立体表示を行う。
【０００４】
この統合画像は、通常の２次元の画像として扱うことができるため、所定の圧縮方式を用いて圧縮する事や、所定のファイルフォーマットで格納する事が可能である。この際、広く普及している既存の圧縮方式及び既存のファイルフォーマットを使用すると、３次元画像の表示機能を持たない従来の再生装置でも既存の形式のファイルとして認識し、統合画像を２次元画像として表示することができる。具体的な圧縮方法及びファイルフォーマットとして、静止画像の場合には、ＪＰＥＧ、ＢＭＰなどがあり、動画像の場合には、圧縮方法としてＭＰＥＧ−１、ＭＰＥＧ−２、ＭＰＥＧ−４、Ｍｏｔｉｏｎ  ＪＰＥＧなどがあり、ファイルフォーマットとしてＱｕｉｃｋ  Ｔｉｍｅ、Ｒｅａｌ  Ｓｙｓｔｅｍ、Ｗｉｎｄｏｗｓ（Ｒ）  Ｍｅｄｉａ  Ｖｉｄｅｏなどがある。
【０００５】
従来の再生装置で表示させるとの観点からすると、ＪＰＥＧのデータを記録する場合、デジタルスチルカメラ及びその関連するシステムで利用される画像ファイルフォーマットの規格であるＥｘｉｆ（Ｅｘｃｈａｎｇｅａｂｌｅ  ｉｍａｇｅ  ｆｉｌｅ  ｆｏｒｍａｔ）及びＤＣＦ（Ｄｅｓｉｇｎ  ｒｕｌｅ  ｆｏｒ  Ｃａｍｅｒａ  Ｆｉｌｅ  ｓｙｓｔｅｍ）の規格に準拠したファイルで記録すると多くのデジタルスチルカメラで再生できる。このＤＣＦ規格では、ＤＣＦ規格に準拠しているファイルをＤＣＦファイルと呼び、ＤＣＦファイルを格納するディレクトリをＤＣＦディレクトリと呼ぶが、デジタルスチルカメラ間での互換性を強固なものとするために、このＤＣＦファイル及びＤＣＦディレクトリの命名規則を定めている。
【０００６】
ＤＣＦファイルの命名規則は、以下のとおりである。
（１）ファイルの名称は、「ファイル名」と「．」と「拡張子」とからなる。
（２）ファイル名は８文字とする。
（３）ファイル名の先頭４文字は、半角アルファベット大文字もしくは数字もしくは’＿’（アンダーバー）のいずれかであれば自由である。
（４）ファイル名の後半４文字は、”０００１”〜”９９９９”の番号とし、ファイル番号と呼ぶ。
（５）主画像を含んだファイルの拡張子は．ＪＰＧとする。
【０００７】
またＤＣＦディレクトリの命名規則及びディレクトリ構造は、以下のとおりである。
（１）ディレクトリ名は８文字とする。
（２）ディレクトリ名の先頭３文字は”１００”〜”９９９”の番号とし、ディレクトリ番号と呼ぶ。
（３）ディレクトリ名の後半５文字は、半角アルファベット大文字もしくは数字もしくは’＿’（アンダーバー）のいずれかであれば自由である。
（４）ルートディレクトリ直下に存在する”ＤＣＩＭ”との名称のディレクトリの下にＤＣＦディレクトリを作成する。
（５）ＤＣＦディレクトリの下に、ＤＣＦファイルを格納する。
【０００８】
図１４にＤＣＦ規格に準拠したディレクトリ構造の例を示す。
【０００９】
上記のように、３次元画像データを既存のファイルフォーマットで格納した場合、通常の２次元画像データと判別する必要があるが、その判別の方法の一例が、後述する特許文献２において開示されている。
【００１０】
ここでは、電子スチルカメラでの撮影時に、ファイルを記録するディレクトリをユーザが指定することができるようにすることで、特殊なファイルを特定のディレクトリに集めることが可能となる。
【００１１】
【特許文献１】
特開平１１−４１６２７号公報
【特許文献２】
特開２０００−２０１３０８号公報
【００１２】
【発明が解決しようとする課題】
上記のように、ユーザが特殊なファイルを特定のディレクトリに記録したとしても、他のユーザには、そのファイルが３次元画像データであるのか２次元画像データであるのかが判別つかない。
【００１３】
また、視点数や間引き方法など、３次元表示に必要な情報はいろいろあるが、記録されたデータからはどの形式で記録されたのかを知ることができないため、第三者がそのデータを手にした時、どのような処理によって表示すればよいのかがわからないという問題がある。
【００１４】
本発明は、以上のような問題点を解決するためになされたものであって、その目的は、記録してある画像ファイルが２次元画像データであるのか３次元画像データであるのかが判別可能とする画像ファイル作成装置、およびそのデータを再生する画像ファイル再生装置を提供することにある。
【００１５】
【課題を解決するための手段】
上記目的を達成するために、複数の視点の各々に対応した複数の画像から、所定のファイルフォーマットの画像ファイルを作成する画像ファイル作成装置において、前記複数の視点の画像を３次元表示するための３次元画像制御情報を作成する情報作成手段と、前記複数の視点の画像と前記３次元画像制御情報とを含んだ画像ファイルを作成するファイル作成手段とを備え、前記画像ファイルのファイル名称及び／または前記画像ファイルを格納するディレクトリによって、前記画像ファイルが複数の視点の画像を含むファイルであるか否かを判別可能とすることで、上述の課題を解決する。
【００１６】
また、前記画像ファイルを格納するディレクトリは、１視点の画像からなる画像ファイルを格納するディレクトリと別のディレクトリとすることで、前記画像ファイルが複数の視点の画像を含むファイルであるか否かを判別可能とすることで、上述の課題を解決する。
【００１７】
また、前記ファイル名称は、複数の視点の画像を含むファイルを示すファイル名とすることで、前記画像ファイルが複数の視点の画像を含むファイルであるか否かを判別可能とすることで、上述の課題を解決する。
【００１８】
また、前記ファイル名称は、１視点の画像からなるファイルの命名規則と異なるファイル名とすることで、前記画像ファイルが複数の視点の画像を含むファイルであるか否かを判別可能とすることで、上述の課題を解決する。
【００１９】
また、前記ファイル名称は、１視点の画像からなるファイルの拡張子と異なる拡張子とすることで、前記画像ファイルが複数の視点の画像を含むファイルであるか否かを判別可能とすることで、上述の課題を解決する。
【００２０】
また、所定のファイルフォーマットの画像ファイルから、複数の視点の各々に対応した複数の画像を再生する画像ファイル再生装置において、前記画像ファイルから前記複数の視点の画像を３次元表示するための３次元画像制御情報を解析する解析手段とを備え、前記解析手段の結果に応じて前記複数の視点の画像を再生することで、上述の課題を解決する。
【００２１】
また、所定のファイルフォーマットの画像ファイルから、複数の視点の各々に対応した複数の画像を再生する画像ファイル再生装置において、前記画像ファイルのファイル名称及び／または前記画像ファイルが格納されているディレクトリから前記画像ファイルが複数の視点の画像を含むファイルであるか否かを判別する判別手段と、前記画像ファイルから前記複数の視点の画像を３次元表示するための３次元画像制御情報を解析する解析手段とを備え、前記判別手段及び／または前記解析手段の結果に応じて前記複数の視点の画像を再生することで、上述の課題を解決する。
【００２２】
【発明の実施の形態】
以下、本発明の実施の形態について、図面を参照しながら説明する。
【００２３】
＜第１の実施の形態＞
図１は、本発明における第１の実施の形態による画像ファイル作成装置の構成を示すブロック図である。図１において、画像ファイル作成装置１００は、各視点画像の統合方法を指定する制御部１０１、制御部１０１からの指定に応じて各視点画像を適切な位置に配置し統合画像を作成する画像統合部１０２、各視点画像の配置方法及び３次元画像の各種特性をフォーマット化して３Ｄ画像制御情報を作成する３Ｄ画像制御情報作成部１０３、統合画像データを符号化する符号化部１０４、符号化データと３Ｄ画像制御情報を多重化して出力する多重化部１０５、多重化データをファイルとして記録する際のファイルの名称を決定するファイル名称決定部１０６、記録するファイルを格納するディレクトリを決定する格納ディレクトリ決定部１０７、決定された格納ディレクトリ及びファイル名でファイルを記録するファイル作成部１０８から構成される。
【００２４】
以上のように構成された画像ファイル作成装置１００について、その動作を説明する。
【００２５】
連続するフレームから構成される画像信号は、１フレームごとに画像ファイル作成装置に入力される。入力される画像信号は、左眼用データと右眼用データの２眼とは限らず、Ｎ眼のデータが入力され得る。
【００２６】
制御部１０１は、画像の統合方法などの３次元画像の特性を指定する。
画像統合部１０２は、前記統合方法で指定された形式の統合画像データを作成する。統合する方法として、電子的に統合しても良いし、光学的に統合しても良い。
【００２７】
３Ｄ画像制御情報作成部１０３は、画像データが３次元画像データである事を示す情報や各視点画像の配置方法などの３次元画像の特性をフォーマット化して、画像を３次元表示するために必要な３Ｄ画像制御情報を作成する。３Ｄ画像制御情報の要素としては、視点数、各視点画像の配置方法、間引きの方法、３次元画像の強度、などの要素がありうる。作成する３Ｄ画像制御情報としては、これらの要素全てを含まずに、必要な要素だけを含んでいても良い。
【００２８】
符号化部１０４は、画像統合部１０２で作成された統合画像データを符号化し、符号化データを作成する。符号化方法として、従来の技術に記載したような国際標準方式を用いても良いし、非標準の方式を用いても良いし、圧縮を行わなくてもよい。
【００２９】
多重化部１０５は、符号化部１０４で作成された符号化データと、３Ｄ画像制御情報作成部で作成された３Ｄ画像制御情報を多重化し、所定のフォーマットに変換する。図１には図示していないが、音声やテキストを多重化する場合は、それらのデータも多重化部１０５にて多重化される。所定のフォーマットとして既存の形式を使用する場合、３Ｄ画像制御情報は、一般に既存の形式に用意されているヘッダを拡張する仕組みを用いて、既存のファイルヘッダの一部として記録されるものとする。例えばＤＣＦ規格の場合には、ＪＰＥＧで規定しているアプリケーションマーカーセグメントを拡張して３Ｄ画像制御情報を多重化する方法や、Ｅｘｉｆで規定しているタグを拡張して３Ｄ画像制御情報用のタグを定義して３Ｄ画像制御情報を多重化する方法などがある。
【００３０】
ファイル名称決定部１０６は、多重化データをファイルとして記録する際のファイルの名称を決定する。この際、ファイルの名称で３次元画像データのファイルであることを明示するようにする。以下にＤＣＦ規格に準拠もしくはＤＣＦ規格を拡張して３次元画像データのファイルを記録する場合を例に説明する。
【００３１】
図２に、ＤＣＦ規格に準拠して３次元画像データのファイルであることを明示するファイル名称の一例を示す。ＤＣＦ規格の場合、従来の技術で記載したように、ファイル名の先頭４文字は半角アルファベット大文字もしくは数字もしくは’＿’（アンダーバー）のいずれかであれば自由である。そこで、例えばファイル名の先頭に「３Ｄ」と付けることで該当ファイルが３次元画像データであることを明示してもよい。もしくは、３次元画像データのファイルは、ファイル名の４文字目を「＿」（アンダーバー）とすると決めてもよい。
【００３２】
ただし、２次元画像データのファイルでも、ファイル名の先頭が「３Ｄ」であるファイルや４文字目が「＿」（アンダーバー）であるファイルは存在するため、このようなファイル名であったとしても３次元画像データのファイルであるとは限らない。しかし、このようなファイル名とすることで該当ファイルが３次元画像データの可能性があることをユーザに提示することが可能となる。
【００３３】
ここでは、３次元画像データのファイルであることを示すために「３Ｄ」及び「＿」（アンダーバー）の文字を用いたが、これらの文字でなく別の文字としても良いし、２文字や１文字でなくても良いし、先頭や４文字目でなくても良い。またファイル名の後半の部分に相当するファイル番号の部分を用いて３次元画像データのファイルであることを示すようにしても良い。
【００３４】
図３に、ＤＣＦ規格を拡張して３次元画像データのファイルであることを明示するファイル名称の一例を示す。これまでの例は、ＤＣＦ規格のファイル命名規則に準じたファイル名であるが、あえてＤＣＦ規格のファイル命名規則に準じないファイル名とする方法もある。例えば図３のように、ファイル名を７文字にすると決めてもよい。または、ファイル名の先頭にＤＣＦファイル名に使用できる文字ではない「＠」を使用するように決めてもよい。このようにＤＣＦ規格に準じないファイル名とすることで、既存のＤＣＦ規格に準じる再生機は、該当ファイルがＤＣＦ規格に準拠しないＪＰＥＧファイルであることを認識できる。
【００３５】
図４に、ＤＣＦ規格を拡張して３次元画像データのファイルであることを明示するファイル名称の別の一例を示す。図４の例のように、ファイルの拡張子で３次元画像データのファイルであることを明示するようにしてもよい。例えば拡張子を．ＪＰＧでなく、．ＪＰＥや．ＪＰＥＧとするようにしても良い。これらの拡張子のファイルは、ＤＣＦファイルとは認識されないが、ＰＣなどではＪＰＥＧファイルとして認識される場合が多い。そのため、ＰＣのＪＰＥＧ再生ソフトでは、２次元画像データとして再生される。また、．ＪＰＥや．ＪＰＥＧでなく、全く新規の拡張子としても良い。全く新規の拡張子とすることで、既存のＪＰＥＧ再生ソフトなどで再生されなくなるが、既存のＪＰＥＧ編集ツールで編集を行う事により、前述の３Ｄ画像制御情報が破壊されて、３次元画像データとして再生できなくなるとの危険が避けられる。
【００３６】
格納ディレクトリ決定部１０７は、記録するファイルを格納するディレクトリを決定する。この際、格納するディレクトリで３次元画像データのファイルであることを明示するようにする。ここでもファイル名称決定部と同様にＤＣＦ規格に準拠もしくはＤＣＦ規格を拡張して３次元画像データのファイルを記録する場合を例に説明する。
【００３７】
図５に、ＤＣＦ規格を拡張して３次元画像データを格納した場合におけるディレクトリ構造の一例を示す。従来の技術に記載したように、ＤＣＦ規格では、ルートディレクトリ直下に「ＤＣＩＭ」との名称のディレクトリを作成し、「ＤＣＩＭ」の下にＤＣＦディレクトリを作成し、ＤＣＦディレクトリの下にＤＣＦファイルを格納するように決められている。そこで、例えばルートディレクトリ直下に「３ＤＩＭ」との名称のディレクトリを作成し、そのディレクトリ以下に３次元画像データのファイルを格納する事により、２次元画像データは「ＤＣＩＭ」の下に格納され、３次元画像データは「３ＤＩＭ」の下に格納されるため、２次元画像データと３次元画像データとの判別が可能となる。ここでは「３ＤＩＭ」との名称を例として用いたが、この名称でなくても既存の「ＤＣＩＭ」ディレクトリとの違いがわかれば良い。また図５では、「３ＤＩＭ」の下に「１００ＡＢＣＤＥ」とのＤＣＦ規格のディレクトリ命名規則に準拠したディレクトリを作成し、その下に３次元画像データのファイルを格納してあるが、「３ＤＩＭ」のディレクトリの直下に３次元画像データのファイルを格納するようにしても良いし、もっと深い階層のディレクトリの下に３次元画像データのファイルを格納するようにしても良い。また、「３ＤＩＭ」の下のディレクトリは、ＤＣＦ規格のディレクトリ命名規則に準拠しても良いし、しなくても良い。
【００３８】
図６に、ＤＣＦ規格を拡張して３次元画像データを格納した場合におけるディレクトリ構造の別の一例を示す。この例では、「ＤＣＩＭ」の直下にＤＣＦ規格のディレクトリ命名規則から外れる「３Ｄ＿ＦＩＬＥＳ」との名称のディレクトリを作成し、そのディレクトリ以下に３次元画像データのファイルを格納している。この事により、２次元画像データと３次元画像データとの判別が可能となる。ここでは「３Ｄ＿ＦＩＬＥＳ」との名称を例として用いたが、この名称でなくてもＤＣＦディレクトリの命名規則と異なる名称であれば良い。
【００３９】
図７に、ＤＣＦ規格を拡張して３次元画像データを格納した場合におけるディレクトリ構造の別の一例を示す。この例では、「ＤＣＩＭ」直下のＤＣＦディレクトリ（「１００ＡＢＣＤＥ」）に「３Ｄ＿ＦＩＬＥＳ」との名称のディレクトリを作成し、そのディレクトリの下に３次元画像データのファイルを格納している。この事により、２次元画像データと３次元画像データとの判別が可能となる。ここでは「３Ｄ＿ＦＩＬＥＳ」との名称を例として用いたが、この名称でなくても良い。
【００４０】
ファイル作成部１０８は、ファイル名称決定部１０６で決定したファイル名称及び格納ディレクトリ決定部１０７で決定した格納ディレクトリに従いファイルを記録メディア等に記録する。ファイル作成部１０８の出力先には、ＩＣメモリや光磁気ディスク、磁気テープ、ハードディスクなどの記録デバイスや、ＬＡＮやモデムなどの通信デバイスが接続される。
【００４１】
なお、ファイル名称決定部１０６及び格納ディレクトリ決定部１０７のいずれでも、３次元画像データであることを明示するためのファイル名称及び格納ディレクトリを決定しているが、どちらかいずれかだけで３次元画像データであることを明示するようにしても良いし、両方で３次元画像データであることを明示するようにしても良い。またここまでの説明ではＤＣＦ規格の場合を例に説明したが、他の規格や標準であっても良い。
【００４２】
また、３次元画像データのファイルやそのファイルを格納したディレクトリの属性を読み込み専用や隠しファイルに設定にして、既存のＪＰＥＧ編集ツールなどで３Ｄ画像制御情報が破壊されることを防ぐようしても良い。これらの設定を記録時の設定やユーザの指示により切り替えられるようにしても良い。
【００４３】
続いて、画像ファイル作成装置１００で作成した画像データを３次元画像として表示するための再生装置について説明する。
【００４４】
図８は、本発明における第１の実施の形態による画像ファイル再生装置の構成を示すブロック図である。図８において、画像ファイル再生装置２００は、ファイルを読み出すファイル読み出し部２０１、多重化データを分離する逆多重化部２０２、３Ｄ画像制御情報を解析する３Ｄ画像制御情報解析部２０３、符号化データを復号する復号部２０４、画像データを表示形式に変換する画像変換部２０５から構成される。
【００４５】
以上のように構成された画像ファイル再生装置２００について、その動作を説明する。
【００４６】
ファイル読み出し部２０１は、記録デバイスや通信デバイスから再生を行うファイルを読み出し、多重化データを抜き出し、さらにファイル名称や格納ディレクトリを解釈する。
【００４７】
逆多重化部２０２は、ファイル読み出し部で抜き出した多重化データを、符号化データと３Ｄ画像制御情報に分離する。図８には図示していないが、音声やテキストが多重化されている場合は、それらのデータも逆多重化部２０２にて分離される。
【００４８】
３Ｄ画像制御情報解析部２０３は、３Ｄ画像制御情報を解析し、視点数や各視点画像の配置方法などの３次元画像の特性を抽出する。
復号部２０４は、逆多重化部２０２により分離された符号化データから画像データを復号する。
【００４９】
画像変換部２０５には、通常のブラウン管や液晶パネルを用いた２次元表示装置、レンチキュラ方式、パララクスバリア方式、時分割方式などを用いた立体表示装置など、それぞれ表示形式が異なる表示装置が接続される。画像変換部２０５は、視点数や各視点画像の配置方法から、復号された画像データを表示形式に変換する。
【００５０】
ここで図５に記載されたディレクトリ構造のファイルを再生する場合における再生機の動作を説明する。図５のディレクトリ構造では、２次元画像データは「ＤＣＩＭ」の下に格納され、３次元画像データは「３ＤＩＭ」の下に格納されているため、２次元画像データと３次元画像データとの判別が可能である。そこで、３次元画像の表示機能を有する機器では、２次元画像データと３次元画像データとを判別し、それぞれに応じた再生を行う。また２次元画像データしか扱わない機器では、「ＤＣＩＭ」以下の画像ファイルのみを再生すれば良いこととなる。さらに、３次元画像の表示機能を有さないが、３次元画像を解釈することができる機器では、「３ＤＩＭ」以下の画像ファイルに関しては、２次元画像データに変換して、再生すれば良い。
【００５１】
ただし、３次元画像データを含んだファイルであるのに、「ＤＣＩＭ」以下に存在したり、２次元画像データを含んだファイルであるのに、「３ＤＩＭ」以下に存在するファイルがある場合があり得る。この場合の対応として、ファイルの中身を解析し、３Ｄ画像制御情報の有無で２次元画像データと３次元画像データとの判別をしてもよい。
【００５２】
また、「３ＤＩＭ」以下に存在するが３Ｄ画像制御情報が無いファイルや、「ＤＣＩＭ」以下に存在するが３Ｄ画像制御情報が有るファイルについては、エラーファイルと判断しても良いし、ファイルが格納されているディレクトリもしくは３Ｄ画像制御情報の有無のどちらかを優先するようにしてもよい。
【００５３】
以上により、３次元画像データであるのか２次元画像データであるのかとの判別が可能となるだけでなく、記録された３次元画像データに汎用性を持たせ、異なる３次元表示方式に対しても同じ３次元画像データを共通に利用できるようになる。
【００５４】
＜第２の実施の形態＞
図９は、本発明における第２の実施の形態による画像ファイル作成装置の構成を示すブロック図である。図９において図１と同一部分には同一符号が付してある。図９において、画像ファイル作成装置１１０は、制御部１０１、画像統合部１０２、３Ｄ画像制御情報作成部１０３、符号化部１０４、多重化部１０５、ファイル名称決定部１０６、格納ディレクトリ決定部１０７、ファイル作成部１０８、複数の視点画像の中から１つの視点画像を選択する画像選択部１１１、選択した視点画像の画像データを符号化する符号化部１１２、符号化データと各種情報を多重化して出力する多重化部１１３から構成される。
【００５５】
以上のように構成された画像ファイル作成装置１１０について、その動作を説明する。制御部１０１、画像統合部１０２、３Ｄ画像制御情報作成部１０３、符号化部１０４、多重化部１０５、ファイル名称決定部１０６、格納ディレクトリ決定部１０７、ファイル作成部１０８の動作は、第１の実施の形態と同様であるので、ここでの説明は省略する。
【００５６】
符号化部１１２は、画像選択部１１１で選択された視点画像データを符号化し、符号化データを作成する。符号化方法として、従来の技術に記載したような国際標準方式を用いても良いし、非標準の方式を用いても良いし、圧縮を行わなくてもよい。また符号化部１０４と同じ機能を有するため、どちらか１つだけが存在し、機能を兼ねても良い。
【００５７】
多重化部１１３は、符号化部１１２で作成された符号化データを所定のフォーマットに変換する。図９には図示していないが、音声やテキストを多重化する場合は、それらのデータも多重化部１１３にて多重化される。また多重化部１０５と同じ機能を有するため、どちらか１つだけが存在し、機能を兼ねても良い。
【００５８】
図１０に、第２の実施の形態でのＤＣＦ規格を拡張して３次元画像データを格納した場合におけるディレクトリ構造の一例を示す。ここでは、第１の実施の形態でのディレクトリ構造の一例で説明した、ルートディレクトリ直下に「３ＤＩＭ」との名称のディレクトリを作成し、そのディレクトリ以下に３次元画像データのファイルを格納する場合の応用例である。このようなディレクトリ構造の場合、２次元画像データしか扱わない機器では、「ＤＣＩＭ」以下の画像ファイルのみを再生することになるので、３次元画像データがファイルとして格納されていることを認識することができない。そこで、３次元画像データのファイル（ＡＢＣＤ００２．ＪＰＧ）を３次元画像データ格納場所（「３ＤＩＭ」直下のディレクトリ「１００ＡＢＣＤＥ」）に記録すると共に、複数の視点画像の中から選択した１視点の画像から２次元表示用の画像データを作成し、２次元画像データ格納場所（「ＤＣＩＭ」直下のディレクトリ「１００ＡＢＣＤＥ」）に同じファイル名称のファイルを格納することで、「ＤＣＩＭ」以下のファイルしか再生しない機器でも撮影した画像が格納されていることが認識できる。ここでは、３次元画像データのファイルのファイル名称と２次元画像データのファイル名称を同一のものとしたが、異なるファイル名称としても良い。また、両方のファイルが関連していることを、それぞれのファイルもしくはどちらか一方のファイルに情報として多重しても良い。
【００５９】
また、２次元画像データのファイルは、図１１のように、主画像でなくサムネイル画像でもよい。サムネイル画像の場合、ファイルの拡張子は．ＪＰＧでなく．ＴＨＭとする。
【００６０】
また、３次元画像データのファイルの拡張子を．ＪＰＧとは異なるものとする場合には、図１２のように、その３次元画像データのファイルを２次元画像データ格納場所（「ＤＣＩＭ」直下のディレクトリ「１００ＡＢＣＤＥ」）に記録しても良い。
【００６１】
【発明の効果】
本発明によれば、複数の視点の各々に対応した複数の画像から、所定のファイルフォーマットの画像ファイルを作成する画像ファイル作成装置において、前記複数の視点の画像を３次元表示するための３次元画像制御情報を作成する情報作成手段と、前記複数の視点の画像と前記３次元画像制御情報とを含んだ画像ファイルを作成するファイル作成手段とを備え、前記画像ファイルのファイル名称及び／または前記画像ファイルを格納するディレクトリによって、前記画像ファイルが複数の視点の画像を含むファイルであるか否かを判別可能とすることにより、３次元表示画像データと２次元表示画像データとの判別が可能となるという有利な効果が得られる。
【００６２】
また、前記画像ファイルを格納するディレクトリは、１視点の画像からなる画像ファイルを格納するディレクトリと別のディレクトリとすることで、前記画像ファイルが複数の視点の画像を含むファイルであるか否かを判別可能とすることにより、３次元表示画像データと２次元表示画像データとの判別が可能となるという有利な効果が得られる。
【００６３】
また、前記ファイル名称は、複数の視点の画像を含むファイルを示すファイル名とすることで、前記画像ファイルが複数の視点の画像を含むファイルであるか否かを判別可能とすることにより、３次元表示画像データと２次元表示画像データとの判別が可能となるという有利な効果が得られる。
【００６４】
また、前記ファイル名称は、１視点の画像からなるファイルの命名規則と異なるファイル名とすることで、前記画像ファイルが複数の視点の画像を含むファイルであるか否かを判別可能とすることにより、３次元表示画像データと２次元表示画像データとの判別が可能となるという有利な効果が得られる。
【００６５】
また、前記ファイル名称は、１視点の画像からなるファイルの拡張子と異なる拡張子とすることで、前記画像ファイルが複数の視点の画像を含むファイルであるか否かを判別可能とすることにより、３次元表示画像データと２次元表示画像データとの判別が可能となるという有利な効果が得られる。
【００６６】
また、複数の視点の各々に対応した複数の画像を再生する画像ファイル再生装置において、前記画像ファイルから前記複数の視点の画像を３次元表示するための３次元画像制御情報を解析する解析手段とを備え、前記解析手段の結果に応じて前記複数の視点の画像を再生することにより、３次元表示画像データと２次元表示画像データとの判別が可能となるという有利な効果が得られる。
【００６７】
また、所定のファイルフォーマットの画像ファイルから、複数の視点の各々に対応した複数の画像を再生する画像ファイル再生装置において、前記画像ファイルのファイル名称及び／または前記画像ファイルが格納されているディレクトリから前記画像ファイルが複数の視点の画像を含むファイルであるか否かを判別する判別手段と、前記画像ファイルから前記複数の視点の画像を３次元表示するための３次元画像制御情報を解析する解析手段と、を備え、前記判別手段及び／または前記解析手段の結果に応じて前記複数の視点の画像再生することにより、３次元表示画像データと２次元表示画像データとの判別が可能となるという有利な効果が得られる。
【図面の簡単な説明】
【図１】本発明における第１の実施の形態による画像ファイル作成装置の構成を示すブロック図である。
【図２】ＤＣＦ規格に準拠して３次元画像データのファイルであることを明示するファイル名称の一例である。
【図３】ＤＣＦ規格を拡張して３次元画像データのファイルであることを明示するファイル名称の一例である。
【図４】ＤＣＦ規格を拡張して３次元画像データのファイルであることを明示するファイル名称の一例である。
【図５】ＤＣＦ規格を拡張して３次元画像データを格納した場合におけるディレクトリ構造の一例である。
【図６】ＤＣＦ規格を拡張して３次元画像データを格納した場合におけるディレクトリ構造の一例である。
【図７】ＤＣＦ規格を拡張して３次元画像データを格納した場合におけるディレクトリ構造の一例である。
【図８】本発明における第１の実施の形態による画像ファイル再生装置の構成を示すブロック図である。
【図９】本発明における第２の実施の形態による画像ファイル作成装置の構成を示すブロック図である。
【図１０】ＤＣＦ規格を拡張して３次元画像データを格納した場合におけるディレクトリ構造の一例である。
【図１１】ＤＣＦ規格を拡張して３次元画像データを格納した場合におけるディレクトリ構造の一例である。
【図１２】ＤＣＦ規格を拡張して３次元画像データを格納した場合におけるディレクトリ構造の一例である。
【図１３】レンチキュラ方式の記録データ形式の一例を示す概念図である。
【図１４】ＤＣＦ規格に準拠したディレクトリ構造の例である。
【符号の説明】
１００，１１０  画像ファイル作成装置
１０１          制御部
１０２          画像統合部
１０３          ３Ｄ画像制御情報作成部
１０４，１１２  符号化部
１０５，１１３  多重化部
１０６          ファイル名称決定部
１０７          格納ディレクトリ決定部
１０８          ファイル作成部
１１１          画像選択部
２００          画像ファイル再生装置
２０１          ファイル読み出し部
２０２          逆多重化部
２０３          ３Ｄ画像制御情報解析部
２０４          復号部
２０５          画像変換部
３０１          左眼画像
３０２          右眼画像
３０３          統合画像
【図１】
2004349732.tif 000003
【図２】
2004349732.tif 000004
【図３】
2004349732.tif 000005
【図４】
2004349732.tif 000006
【図５】
2004349732.tif 000007
【図６】
2004349732.tif 000008
【図７】
2004349732.tif 000009
【図８】
2004349732.tif 000010
【図９】
2004349732.tif 000011
【図１０】
2004349732.tif 000012
【図１１】
2004349732.tif 000013
【図１２】
2004349732.tif 000014
【図１３】
2004349732.tif 000015
【図１４】
2004349732.tif 000016